【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
ビデオ情報を復号するための装置であって、
エンハンスメントレイヤの少なくとも１つの参照ピクチャリストを記憶するように構成されたメモリユニットと、前記少なくとも１つの参照ピクチャリストは残差予測参照ピクチャの情報を備え、
前記メモリユニットに動作可能に結合され、
残差予測参照ピクチャの生成についてのシグナリングされた情報を復号することと、
エンハンスメントレイヤのエンハンスメントレイヤ参照ピクチャと、前記エンハンスメントレイヤに関連するベースレイヤのベースレイヤ参照ピクチャとを取得することと、
生成される残差予測参照ピクチャが、前記残差予測参照ピクチャが生成される前記エンハンスメントレイヤ参照ピクチャと同じ動きフィールドおよび同じピクチャ順序カウント（ＰＯＣ）を有するように、前記エンハンスメントレイヤ参照ピクチャ、前記ベースレイヤ参照ピクチャ、および前記復号されたシグナリングされた情報に基づいて、前記残差予測参照ピクチャを生成することと、
前記エンハンスメントレイヤの前記少なくとも１つの参照ピクチャリストに、前記生成された残差予測参照ピクチャを記憶することと、
前記生成された残差予測参照ピクチャに基づいて、前記エンハンスメントレイヤの復元されたピクチャを生成することと、
を行うように構成された、プロセッサと、
を備える、装置。
【請求項２】
ピクチャの複数のスライスは、同じ生成された残差予測参照ピクチャを有する、および／または、前記シグナリングされた情報は、生成されるべき残差予測参照ピクチャの数を備える、請求項１に記載の装置。
【請求項３】
前記シグナリングされた情報は、残差予測参照ピクチャが使用されるかどうかを示すフラグを備え、前記プロセッサは、残差予測参照ピクチャが使用されることを前記フラグが示すとき、前記残差予測参照ピクチャを生成するようにさらに構成された、請求項１に記載の装置。
【請求項４】
前記プロセッサは、残差予測参照ピクチャのみを含む参照パラメータセット（ＲＰＳ）のサブセットに、前記生成された残差予測参照ピクチャを記憶するようにさらに構成された、請求項１に記載の装置。
【請求項５】
前記プロセッサは、
前記エンハンスメントレイヤの参照レイヤのアップサンプリングされたコロケートされた参照ピクチャを生成することと、
前記残差予測参照ピクチャおよび前記参照レイヤの前記アップサンプリングされたコロケートされた参照ピクチャに基づいて、前記エンハンスメントレイヤの前記復元されたピクチャを生成することと、
を行うようにさらに構成された、請求項１に記載の装置。
【請求項６】
前記残差予測参照ピクチャは復号ピクチャバッファ（ＤＰＢ）の中に配置されない、および／または、
前記シグナリングされた情報は、スライスレベルまたはその上のレベルで指定される、および／または、
前記シグナリングされた情報は、ピクチャパラメータセット（ＰＰＳ）、ビデオパラメータセット（ＶＰＳ）、シーケンスパラメータセット（ＳＰＳ）、参照パラメータセット（ＲＰＳ）、またはスライスヘッダから選択されたレベルで指定される、
請求項１に記載の装置。
【請求項７】
前記プロセッサは、前記ベースレイヤ内の対応するピクチャの残差に重み係数を適用することなく、前記エンハンスメントレイヤの前記復元されたピクチャを生成するようにさらに構成された、請求項１に記載の装置。
【請求項８】
ビデオ情報を復号する方法であって、
メモリユニットに動作可能に結合されたプロセッサを使用して、残差予測参照ピクチャの生成についてのシグナリングされた情報を復号することと、
エンハンスメントレイヤのエンハンスメントレイヤ参照ピクチャと、前記エンハンスメントレイヤに関連するベースレイヤのベースレイヤ参照ピクチャとを取得することと、
生成される残差予測参照ピクチャが、前記残差予測参照ピクチャが生成される前記エンハンスメントレイヤ参照ピクチャと同じ動きフィールドおよび同じピクチャ順序カウント（ＰＯＣ）を有するように、前記エンハンスメントレイヤ参照ピクチャ、前記ベースレイヤ参照ピクチャ、および前記復号されたシグナリングされた情報に基づいて、前記残差予測参照ピクチャを生成することと、
前記メモリユニット内の前記エンハンスメントレイヤの少なくとも１つの参照ピクチャリストに、前記生成された残差予測参照ピクチャを記憶することと、
前記生成された残差予測参照ピクチャに基づいて、前記エンハンスメントレイヤの復元されたピクチャを生成することと、
を備える、方法。
【請求項９】
前記残差予測参照ピクチャは、
ＲＧhalf＝ｍｉｎ（ｍａｘ（０, ２・Ｐe0−Ｐb0）,２bitdepth−１）および
ＲＧone＝ｍｉｎ（ｍａｘ（０, Ｐe0−Ｐb0＋２bitdepth-1）,２bitdepth−１）
とそれぞれ定義される、残差予測参照ピクチャの２つのタイプのうちの１つに基づいて生成され、
ここで、Ｐe0は、前記エンハンスメントレイヤ参照ピクチャを表し、Ｐb0は、前記ベースレイヤ参照ピクチャを表す、
請求項８に記載の方法。
【請求項１０】
残差予測参照ピクチャの前記タイプは、０．５の重み係数を表す第１のタイプと、１の重み係数を表す第２のタイプとを含む、請求項８に記載の方法。
【請求項１１】
前記シグナリングされた情報は、前記残差予測参照ピクチャを生成するかどうかを示す１つまたは複数のシンタックス要素を備え、残差予測参照ピクチャの前記タイプのうちのただ１つが、生成されるべき前記残差予測参照ピクチャに利用可能である、または、
少なくとも残差予測参照ピクチャの前記２つのタイプが利用可能であり、前記シグナリングされた情報は、前記残差予測参照ピクチャを生成するかどうかを示すとともに、前記残差予測参照ピクチャ用の前記２つのタイプのうちの１つを示す１つまたは複数のシンタックス要素を備える、請求項１０に記載の方法。
【請求項１２】
ビデオ情報を符号化するための装置であって、
スケーラブルビデオコーディングにおいて、ビデオ情報の１つまたは複数のレイヤに関連する少なくとも１つの参照ピクチャリストを記憶するように構成されたメモリユニットと、
前記メモリユニットに動作可能に結合され、
エンハンスメントレイヤのエンハンスメントレイヤ参照ピクチャと、前記エンハンスメントレイヤに関連するベースレイヤのベースレイヤ参照ピクチャとを取得することと、
前記エンハンスメントレイヤ参照ピクチャ、前記ベースレイヤ参照ピクチャに少なくとも部分的に基づいて、残差予測参照ピクチャを生成することについての情報を符号化することと、前記残差予測参照ピクチャは、前記残差予測参照ピクチャが生成される前記エンハンスメントレイヤ参照ピクチャと同じ動きフィールドおよび同じピクチャ順序カウント（ＰＯＣ）を有するように構成され、
前記符号化された情報をビットストリーム内でシグナリングすることと、
を行うように構成された、プロセッサと、
を備える、装置。
【請求項１３】
前記プロセッサは、ピクチャの複数のスライスが同じ生成された残差予測参照ピクチャを有するという制約を適用するようにさらに構成される、および／または、
前記符号化された情報は、生成されるべき残差予測参照ピクチャの数を備える、請求項１１に記載の装置。
【請求項１４】
前記符号化された情報は、前記エンハンスメントレイヤに関連する参照ピクチャリスト内の第１の短期参照ピクチャに基づいて前記残差予測参照ピクチャを生成するかどうかを示す１つまたは複数のシンタックス要素を備える、および／または、
前記符号化された情報は、ピクチャパラメータセット（ＰＰＳ）、ビデオパラメータセット（ＶＰＳ）、シーケンスパラメータセット（ＳＰＳ）、参照パラメータセット（ＲＰＳ）、またはスライスヘッダから選択されたレベルで指定される、請求項１２に記載の装置。
【請求項１５】
ビデオ情報を符号化する方法であって、
エンハンスメントレイヤのエンハンスメントレイヤ参照ピクチャと、前記エンハンスメントレイヤに関連するベースレイヤのベースレイヤ参照ピクチャとを取得することと、
メモリユニットに動作可能に結合されたプロセッサを使用して、前記エンハンスメントレイヤ参照ピクチャおよび前記ベースレイヤ参照ピクチャに少なくとも部分的に基づいて、残差予測参照ピクチャを生成することについての情報を符号化することと、
ここで、前記残差予測参照ピクチャは、前記残差予測参照ピクチャが生成される前記エンハンスメントレイヤ参照ピクチャと同じ動きフィールドおよび同じピクチャ順序カウント（ＰＯＣ）を有するように構成され、
前記メモリユニットは、スケーラブルビデオコーディングにおいて、ビデオ情報の１つまたは複数のレイヤに関連する少なくとも１つの参照ピクチャリストを記憶するように構成され、
前記符号化された情報をビットストリーム内でシグナリングすることと、
を備える、方法。